(57)【要約】      （修正有）【課題】扉を複数の位置でロックする扉ロック機構を提供する。【解決手段】筐体１に軸２で回動可能に取り付けられた扉３を所定の角度に開いた状態にロックする筐体の扉ロック機構４である。扉ロック機構４は、筐体に一端側を回動可能に取付けられ他端側にガイド係合部６を設けた扉係合レバー７と、扉の幅方向に配置されガイド係合部６を嵌合することにより扉をロックする第１、第２のストッパ穴１１，１２を設けたレバーガイド８と、からなる。レバーガイド８は、扉に固着されたガイド板と、ガイド板の下面に重ね合わせた状態で取付けられたストッパ板と、で構成され、第１のストッパ穴１１は、ガイド板に設けられ扉が所定の角度開く間にガイド係合部が係合状態を維持する長穴２３と、ストッパ板に設けられて長穴の一端側に配置されて扉が所定の角度開いたときにガイド係合部が嵌合する係合部嵌合穴２８と、で構成される。【選択図】図１
2008150913.tif 000002
【特許請求の範囲】
【請求項１】
筐体に回動可能に取り付けられた扉を所定の角度に開いた状態にロックする筐体の扉ロック機構であって、
前記筐体に一端側を回動可能に取付けられていて他端側にガイド係合部を設けた扉係合レバーと、前記扉の幅方向に配置されていて前記扉係合レバーのガイド係合部を嵌合することにより前記扉をロックするストッパ穴を設けたレバーガイドと、からなり、
前記レバーガイドは、前記扉を閉じた状態から所定の角度に開いたとき、前記扉係合レバーのガイド係合部をロックする第１のストッパ穴と、前記扉を更に所定の角度開いた状態にロックする第２のストッパ穴と、を備えていることを特徴とする筐体の扉ロック機構。
【請求項２】
請求項１に記載の筐体の扉ロック機構において、
前記レバーガイドは、前記扉に固着されたガイド板と、該ガイド板の下面に重ね合わせた状態で取付けられたストッパ板と、からなり、
前記第１のストッパ穴は、前記ガイド板に設けられていて前記扉が閉じられた状態から所定の角度開く間において前記扉係合レバーのガイド係合部の移動をガイドする長穴と、前記ストッパ板に設けられていて前記扉が所定の角度開いたときに前記扉係合レバーのガイド係合部が嵌合する係合部嵌合穴と、で構成されていることを特徴とする筐体の扉ロック機構。
【請求項３】
請求項２に記載の筐体の扉ロック機構において、
前記ストッパ板の一端部は、前記長穴の下方に位置し、前記ガイド板から離間する方向に傾斜して、前記長穴内を移動してきた前記扉係合レバーのガイド係合部を上面側に接触させる傾斜部を備えていることを特徴とする筐体の扉ロック機構。
【請求項４】
請求項２に記載の筐体の扉ロック機構において、
前記レバーガイドは、前記扉に固着されたベース部と、該ベース部の上面に重ね合わせた状態で取付けられたガイド板と、前記ベース部の下面に重ね合わせた状態で取付けられたストッパ板と、からなり、
前記第１のストッパ穴は、前記ガイド板に設けられていて前記扉が閉じられた状態から所定の角度開く間において前記扉係合レバーのガイド係合部の移動をガイドする長穴と、前記ストッパ板に設けられていて前記扉が所定の角度開いたときに前記扉係合レバーのガイド係合部が嵌合する係合部嵌合穴と、で構成されていることを特徴とする筐体の扉ロック機構。
【発明の詳細な説明】
【技術分野】
【０００１】
本発明は、筐体の扉ロック機構、例えば配電盤や制御盤等において筐体の開口部を開閉する扉を開いた状態にロックするための扉ロック機構に関するものである。
【背景技術】
【０００２】
筐体（以下、フレームと称する）の開口部を開閉する扉のロック機構として、図１５に示すものが知られている。図１５において、フレーム１０１には、軸１０２によって扉１０３が回動可能に取付けられていて、前記扉１０３を回動させることにより前記フレーム１０１の開口部を開閉するようになっている。前記扉１０３は、扉ロック機構１０４により所定の角度に開いた状態でロックされる。
【０００３】
前記扉ロック機構１０４は、一端側を軸部１０５ａにより前記フレーム１０１に回動可能に取付けられていて他端側にガイド係合部１０５ｂを設けた扉係合レバー１０５と、前記扉１０３の幅方向に配置されていて前記扉係合レバー１０５のガイド係合部１０５ｂが係合するレバーガイド１０６と、で構成されている。前記レバーガイド１０６は、一端側に前記扉係合レバー１０５のガイド係合部１０５ｂが嵌合して前記扉１０３を所定の角度に開いた状態にロックするストッパ穴１０７を備えている。
【０００４】
図１５に実線で示す扉１０３が閉じられた状態においては、前記扉係合レバー１０５のガイド係合部１０５ｂは、前記レバーガイド１０６の一端側に位置している。前記扉１０３を開くと前記扉係合レバー１０５のガイド係合部１０５ｂは、前記レバーガイド１０６を他端側に向かって移動して行く。そして、前記扉１０３が所定の角度開いた状態になると、図１５に２点鎖線で示すように、前記扉係合レバー１０５のガイド係合部１０５ｂは、自重によりストッパ穴１０７内に落下、嵌合して、前記扉１０３を所定の角度に開いた状態にロックする。（例えば特許文献１）。
【特許文献１】特開２００４−２７８２１８号公報
【発明の開示】
【発明が解決しようとする課題】
【０００５】
ところで、上記従来の扉ロック機構は、扉が所定の角度に開いたときに扉を自動的にロックできるという利点がある反面、扉を所定の角度に開く迄は扉をロックすることができないという問題点があった。
【０００６】
本願発明の目的は、扉を複数の位置でロックすることのできる扉ロック機構を提供することにある。
【０００７】
また、本願発明の他の目的は、扉のロックの変更を容易に行うことのできる扉ロック機構を提供することにある。
【課題を解決するための手段】
【０００８】
請求項１の発明は、筐体に回動可能に取り付けられた扉を所定の角度に開いた状態にロックする筐体の扉ロック機構であって、前記筐体に一端側を回動可能に取付けられていて他端側にガイド係合部を設けた扉係合レバーと、前記扉の幅方向に配置されていて前記扉係合レバーのガイド係合部を嵌合することにより前記扉をロックするストッパ穴を設けたレバーガイドと、からなっていて、前記レバーガイドには、前記扉を閉じた状態から所定の角度に開いたときに前記扉係合レバーのガイド係合部をロックする第１のストッパ穴と、前記扉を更に所定の角度開いた状態にロックする第２のストッパ穴と、を設けた。
【０００９】
請求項２の発明は、請求項１に記載の扉ロック機構において、前記レバーガイドを、前記扉に固着されたガイド板と、該ガイド板の下面に重ね合わせた状態で取付けられたストッパ板と、で構成し、前記第１のストッパ穴を、前記ガイド板に設けられていて前記扉が閉じられた状態から所定の角度開く間において前記扉係合レバーのガイド係合部の移動をガイドする長穴と、前記長穴の一端側に配置されていて前記扉が所定の角度開いたときに前記扉係合レバーのガイド係合部が嵌合する係合部嵌合穴と、で構成した。
【００１０】
請求項３の発明は、請求項２に記載の筐体の扉ロック機構において、前記ストッパ板の一端部を、前記長穴の下方に位置させると共に、該端部に前記ガイド板から離間する方向に傾斜して前記長穴内を移動してきた前記扉係合レバーのガイド係合部の先端を上面側に接触させる傾斜部を設けた。
【００１１】
請求項４の発明は、請求項２に記載の筐体の扉ロック機構において、前記レバーガイドを、前記扉に固着されたベース部と、該ベース部の上面に重ね合わせた状態で取付けられたガイド板と、前記ベース部の下面に重ね合わせた状態で取付けられたストッパ板と、で構成し、前記第１のストッパ穴を、前記ガイド板に設けられていて前記扉が閉じられた状態から所定の角度開く間において前記扉係合レバーのガイド係合部の移動をガイドする長穴と、前記ストッパ板に設けられていて前記扉が所定の角度開いたときに前記扉係合レバーのガイド係合部が嵌合する係合部嵌合穴と、で構成した。
【発明の効果】
【００１２】
（１）請求項１の筐体の扉ロック機構は、前記第１のストッパ穴により前記扉を所定の角度開いた状態にロックする。また、前記第２のストッパ穴により前記扉を更に所定の角度開いた状態にロックする。
（２）請求項２の筐体の扉ロック機構は、前記扉が閉じられた状態から所定の角度開いた状態にすると、扉係合レバーのガイド係合部は、前記ガイド板の長穴内を一端側に移動して、該長穴の一端側に設けた係合部嵌合穴に嵌合して前記扉を所定の角度に開いた状態に自動的にロックする。
（３）請求項３の筐体の扉ロック機構は、前記扉係合レバーのガイド係合部が前記長穴内を移動してきたときに、前記扉係合レバーのガイド係合部の先端は、前記ストッパ板の一端部に設けた傾斜部の上面に接触して持ち上げられて前記長穴の一端側に設けた係合部嵌合穴にガイドされる。
（４）請求項５の筐体の扉ロック機構は、前記扉に固着されたベース部の上面に重ね合わせてガイド板を取付け、前記ベース部の下面に重ね合わせてストッパ板を取付ける構成にしたので、予め前記長穴の長さや係合部嵌合穴に位置、第２のストッパ穴の位置を変えたガイド板およびストッパ板を用意しておいて、これらを選択的に使用することにより、扉のロック位置を容易に変化させることができる。
【発明を実施するための最良の形態】
【００１３】
図１〜図７は本発明の第１実施例の扉ロック機構を示す。図１は第１実施例の扉ロック機構の使用状態を示す平面図、図２は図１のＡ−Ａ側面図、図３は図１のＢ−Ｂ側面図、図４は図１のＣ−Ｃ側面図、図５は扉係合レバーの説明図、図６はガイド板の説明図、図７はストッパ板の説明図である。筐体（以下、フレームと称する）１には、軸２によって扉３が回動可能に取付けられていて、前記扉３を回動させることにより前記フレーム１の開口部を開閉するようになっている。前記扉３は、扉ロック機構４により略６０°開いた半開位置および略９５°開いた全開位置でロックされるようになっている。
【００１４】
前記扉ロック機構４は、一端側を軸５により前記フレーム１に回動可能に取付けられていて他端側に前記扉３に設けたレバーガイド８に係合するガイド係合部６を設けた扉係合レバー７と、前記扉３の幅方向に配置されていて前記扉係合レバー７のガイド係合部６を嵌合することにより前記扉３を所定の角度に開いた状態にロックする第１のストッパ穴１１および前記扉３を更に所定の角度開いた状態にロックする第２のストッパ穴１２を設けたレバーガイド８と、で構成されている。前記第１のストッパ穴１１は、前記扉係合レバー７のガイド係合部６の移動をガイドする後に詳しく説明する長穴２３と、該長穴２３の一端部に設けられた係合部嵌合穴２８と、で構成されている。
【００１５】
図１に実線および第２図に示す扉３が閉じられた状態においては、前記扉係合レバー７のガイド係合部６は、前記レバーガイド８の一端側に位置している。前記扉３を開くと前記扉係合レバー７のガイド係合部６は、前記レバーガイド８の他端側に向かって移動して行く。そして、前記扉３が略６０°開いた半開状態になると、図１に１点鎖線で示したように、前記扉係合レバー７のガイド係合部６が前記第１のストッパ穴１１を構成する係合部嵌合穴２８に嵌合して、前記扉３が略６０°開いた状態でロックされる。また、前記扉３が更に３５°開いた状態（トータルで９５°開いた状態）になると、図１に２点鎖線で示したように、前記扉係合レバー７のガイド係合部６が前記第２のストッパ穴１２に嵌合して、前記扉３がトータルで９５°開いた全開状態ロックされる。次に、前記扉係合レバー７およびレバーガイド８について詳しく説明する。
【００１６】
図５に示すように、前記扉係合レバー７は、金属や合成樹脂により細長い板状に形成されていて一端部に軸受孔７ａを備え、他端部に前記ガイド係合部６を備えている。前記ガイド係合部６は、前記扉係合レバー７の一側面から雄ネジの凸部を設けることにより形成されている。そして、図２に示すように、前記フレーム１のレバー支持部１３に設けた軸５を前記扉係合レバー７の軸受孔７ａに挿入して、前記軸５の先端にナット等の抜け止め部材１４を取り付けることにより前記軸５を中心に回転可能に取り付けられている。前記抜け止め部材１４と前記扉係合レバー７の間には所定の隙間δが設定されていて、該隙間δにより前記扉係合レバー７は前記軸５の高さ方向に移動可能になっていて、前記ガイド係合部６をストッパ穴等から抜き出すことができるようになっている。また、前記レバーガイド８は、前記扉３に溶接等により固着されたガイド板２１と、該ガイド板２１の下面に重ね合わせた状態で取付けられたストッパ板２２と、を備えている。
【００１７】
図６に示すように、前記ガイド板２１は、第１の板部２１ａと、該第１の板部２１ａの端部から直角方向に伸びる第２の板部２１ｂによって断面略Ｌ字状に形成されていて、前記第１の板部２１ａが前記扉３の内面に溶接等により固着されている。前記第２の板部２１ｂには、前記扉３が閉じられている位置から略６０°開く際に前記扉係合レバー７のガイド係合部６がその内部を移動する長穴２３と、前記扉３を９５°開いた状態にロックする前記第２のストッパ穴１２が設けられている。これら長穴２３および第２のストッパ穴１２を挟んで前記第２の板部２１ｂの一端側には次に説明するストッパ板２２を取り付けるための軸部２４が設けられ、他端側には穴２５が設けられている。
【００１８】
前記ストッパ板２２は、金属やプラスチック等により前記ガイド板２１の第２の板部２１ｂと略同じ大きさに形成されている。また、前記ストッパ板２２は、図７に示すように、一端側に前記ガイド板２１に設けた軸部２４を挿入する軸受孔２６を備え、中央部に前記第２のストッパ穴１２の一端側に重なり合う第３のストッパ穴２７を備え、他端側に前記長穴２３と共に前記第１のストッパ穴１１を構成する係合部嵌合穴２８を備えている。前記ストッパ板２２の前記係合部嵌合穴２８側の端部は、所定の傾斜角度θ、実施例の場合は略３０°に折り曲げられて傾斜部２９が形成されている。
【００１９】
前記ストッパ板２２は、前記第３のストッパ穴２７が前記ガイド板２１の前記第２のストッパ穴１２に重なり、前記係合部嵌合穴２８が前記ガイド板２１の長穴２３の一端部に位置し、前記傾斜部２９が長穴２３の略中央部に位置するように前記ガイド板２１の下面に取り付けられている。
【００２０】
図２に示すように、前記ストッパ板２２は、前記軸受孔２６に前記ガイド板２１の下面に設けた軸部２４を挿入してその先端にナット３０等を取り付けることにより前記ガイド板２１の下面に重ね合わせた状態で着脱自在に取り付けられている。
【００２１】
次に、上記第１実施例の扉ロック機構４の作用について説明する。扉３を閉じた状態においては、図１に実線で示すように、前記扉係合レバー７のガイド係合部６は、前記長穴２３の一端部側に位置している。そして、前記扉３を開くと前記扉係合レバー７のガイド係合部６は、前記長穴２３内を移動し、該長穴２３の略中央部まで移動してくると、前記扉係合レバー７のガイド係合部６は、前記ストッパ板２２の端部に設けた傾斜部２９に接触し、ストッパ板２２の上面側に乗り上げて行って前記第１のストッパ穴１１に向けてガイドされる。前記扉３が所定の角度、実施例の場合は略６０°開かれた状態になると、前記扉係合レバー７のガイド係合部６は、前記係合部嵌合穴２８に嵌合して略６０°開かれた状態にロックされる。扉３を更に開く場合には、前記扉係合レバー７のガイド係合部６を前記係合部嵌合穴２８から抜き出して、扉３を更に３５°回動させた後に、前記扉係合レバー７のガイド係合部６を前記第２のストッパ穴１２およびストッパ板２２に設けた第３のストッパ穴２７に嵌合すれば前記扉３は、９５°に開かれた状態でロックされることになるのである。
【００２２】
図８〜図１４は本発明の第２実施例の扉ロック機構を示す。図８は第２実施例の扉ロック機構の使用状態を示す平面図、図９は図８のＡ−Ａ側面図、図１０は図８のＢ−Ｂ側面図、図１１は図８のＣ−Ｃ側面図、図１２はベース部の説明図、図１３はガイド板の説明図、図１４はストッパ板の説明図である。
【００２３】
第２実施例において、図８、図９等に示すように、前記レバーガイド８は、前記扉３に固着されたベース部３１と、該ベース部３１の上面に重ね合わせた状態で取付けられたガイド板３２と、前記ベース部３１の下面に重ね合わせた状態で取付けられたストッパ板３３と、からなっている。
【００２４】
図１２に示すように、前記ベース部３１は、第１の板部３１ａと、該第１の板部３１ａの端部から直角方向に伸びる第２の板部３１ｂによって断面略Ｌ字状に形成されていて、前記第１の板部３１ａが前記扉３の内面に溶接等により固着されている。前記第２の板部３１ｂには、その長さ方向の略全域に亘って長穴状の切欠部３４が形成されている。
【００２５】
また、図１３に示すように、前記ガイド板３２は、細長い板状に形成されていて長さ方向の一端側の下面に前記ストッパ板３３を取り付けるための雄ネジ上の軸部３５を備え、該軸部３５よりも内側に前記扉３を略９５°に開いた状態にロックするための第２のストッパ穴３６を備え、中央部に長穴３７を備え、他端側にボルト孔３８を備えている。
【００２６】
前記ストッパ板３３は、前記ガイド板３２の第２の板部３２ｂと略同じ大きさに形成されている。前記ストッパ板３３は、図１４に示すように、一端側に前記ガイド板３２に設けた軸部３５を挿入する軸受孔４１を備え、中央部に前記第２のストッパ穴３６の一端側に重なり合う第３のストッパ穴４２を備え、他端側に前記長穴３７と共に前記第１のストッパ穴１１を構成する係合部嵌合穴４３を備えている。前記ストッパ板３３の前記係合部嵌合穴４３側の端部は、略３０°の角度θに折り曲げられて傾斜部４４が形成されている。
【００２７】
前記ガイド板３２は、前記軸部３５を前記ベース部３１の切欠部３３の一端側に挿入した状態で前記ベース部３１の第２の板部３１ｂの上面側に配置されている。また、前記ストッパ板３３は、前記軸受孔４１に前記ガイド板３２の軸部３５を挿入した状態で前記第２の板部３１ｂの下面側に配置されている。
【００２８】
前記ベース部３１の第２の板部３１ｂの上面と下面にそれぞれ配置されたガイド板３２とストッパ板３３は、図９に示すように、前記軸部３５の先端にナット４５を取り付け、また、前記ガイド板３２のボルト孔３８にボルト４６の軸４６ａを挿入し、該軸４６ａを前記ガイド板３２の長穴３７、前記ベース部３１の長穴状の切欠部３４および前前記ベース部３１の下面に配置した固定板４７から突出させて前記軸４６ａの先端にナット４８を螺合することにより前記ガイド板３２とストッパ板３３は、ベース部３１の第２の板部３１ｂを挟んだ状態で、該第２の板部３１ｂの上面側と下面側に取り付けられている。
【００２９】
そして、前記ストッパ板３３の第３のストッパ穴４２は、前記ガイド板３２の前記第２のストッパ穴３６に重なり、前記係合部嵌合穴４３は、前記ガイド板３２の長穴３７の端部に位置し、前記傾斜部４４は、前記長穴３７の略中央部に位置するようになっている。その他の構成は、第１実施例の場合と同様であるので同一構成部分には同一符合を付して重複する説明を省略する。
【００３０】
次に、上記第２実施例の扉ロック機構４の作用について説明する。扉３を閉じた状態においては、図８に実線で示すように、前記扉係合レバー７のガイド係合部６は、前記長穴３７の一端部側に位置している。そして、前記扉３を開くと前記扉係合レバー７のガイド係合部６は、前記長穴３７内を移動し、該長穴３７の略中央部まで移動してくると、前記扉係合レバー７のガイド係合部６は、前記ストッパ板３３の端部に形成した傾斜部４４に接触し、ストッパ板３３の上面側に乗り上げて行って前記係合部嵌合穴４３に向けてガイドされる。前記扉３が所定の角度、実施例の場合は略６０°開かれた状態になると、前記扉係合レバー７のガイド係合部６は、前記係合部嵌合穴４３に嵌合して略６０°開かれた状態にロックされる。扉３を更に開く場合には、前記扉係合レバー７のガイド係合部６を前記係合部嵌合穴４３から抜き出して、扉３を更に３５°回動させた後に、前記扉係合レバー７のガイド係合部６を前記ガイド板３２に設けた第２のストッパ穴１２およびストッパ板３３に設けた第３のストッパ穴４２に嵌合すれば前記扉３は、９５°に開かれた状態でロックされることになるのである。なお、前記長穴３７の長さや第２のストッパ穴１２の位置を変えた複数種類のガイド板３２や、第３のストッパ穴４２の位置を変えた複数種類のストッパ板３３を予め用意しておいてこれらを選択的に使用することにより、扉３のロック位置を適宜の開き角度にロックすることが可能である。
【図面の簡単な説明】
【００３１】
【図１】第１実施例の扉ロック機構の使用状態を示す平面図。
【図２】図１のＡ−Ａ側面図。
【図３】図１のＢ−Ｂ側面図。
【図４】図１のＣ−Ｃ側面図。
【図５】Ａは扉係合レバーの平面図、Ｂは扉係合レバーの正面図。
【図６】Ａはガイド板の平面図、Ｂはガイド板の正面図。、Ｃはガイド板の側面図。
【図７】Ａはストッパ板の平面図、Ｂはストッパ板の正面図。
【図８】第２実施例の扉ロック機構の使用状態を示す平面図。
【図９】図８のＡ−Ａ側面図。
【図１０】図８のＢ−Ｂ側面図。
【図１１】図８のＣ−Ｃ側面図。
【図１２】Ａは扉係合レバーの平面図、Ｂは扉係合レバーの正面図。
【図１３】Ａはガイド板の平面図、Ｂはガイド板の正面図。、Ｃはガイド板の側面図。
【図１４】Ａはストッパ板の平面図、Ｂはストッパ板の正面図。
【図１５】従来例の説明図。
【符号の説明】
【００３２】
１…筐体
２…軸（扉の回転中心）
３…扉
４…扉ロック機構
５…軸
６…ガイド係合部
７…扉係合レバー
８…レバーガイド
１１…第１のストッパ穴
１２…第２のストッパ穴
２１…ガイド板
２２…ストッパ穴
２３…長穴
２８…係合部嵌合穴
２１…ガイド板
２２…ストッパ板
２３…長穴
２７…第３のストッパ穴
２８…係合部嵌合穴
２９…傾斜部
３１…ベース部
３２…ガイド板
３３…ストッパ板
４２…第３のストッパ穴
４３…係合部嵌合穴
４４…傾斜部
【図１】
2008150913.tif 000003
【図２】
2008150913.tif 000004
【図３】
2008150913.tif 000005
【図４】
2008150913.tif 000006
【図５】
2008150913.tif 000007
【図６】
2008150913.tif 000008
【図７】
2008150913.tif 000009
【図８】
2008150913.tif 000010
【図９】
2008150913.tif 000011
【図１０】
2008150913.tif 000012
【図１１】
2008150913.tif 000013
【図１２】
2008150913.tif 000014
【図１３】
2008150913.tif 000015
【図１４】
2008150913.tif 000016
【図１５】
2008150913.tif 000017